(57)【特許請求の範囲】
【請求項１】
端子に複数の導線を巻き付ける端子構造であって、
前記端子は、前記複数の導線を挟み込むべくその縁から延出した折り曲げ部と、前記複数の導線を前記折り曲げ部に導くべく形成されたガイド部を含み、
前記ガイド部は、前記複数の導線をお互いに重ならないようにそれぞれ異なる経路にて前記折り曲げ部に導くべく、前記折り曲げ部の両側において前記折り曲げ部が延出する側縁から後退した側縁により画定される段差部を含む、
ことを特徴とする端子構造。
【請求項２】
前記ガイド部は、前記複数の導線の一つの導線が前記段差部を越えて他の導線の経路に入り込むのを規制するべく、その縁から突出する突出部を含む、
ことを特徴とする請求項１記載の端子構造。
【請求項３】
前記折り曲げ部、段差部、及び突出部の付け根領域は、滑らかに湾曲するように形成されている、
ことを特徴とする請求項２記載の端子構造。
【発明の詳細な説明】
【技術分野】
【０００１】
本発明は、被覆された導線を端子にヒュージングする端子構造に関し、特に、２本の導線を巻き付けるバイファイラ巻きにおいて２本の導線を潰すことによりヒュージングする端子構造に関する。
【背景技術】
【０００２】
従来の端子構造としては、端子にスリット状の係止溝を設け、この係止溝に２本の導線を重ならないように並べて嵌め込み、係止溝の両側から押し当てた電極によりヒュージングするものが知られている（例えば、特許文献１参照）。
また、他の端子構造としては、端子の側縁に湾曲した凹部及び側縁から延出するＵ字状の折り曲げ部等を設け、凹部に入り込むようにして端子に１本の導線を巻き付けると共に、導線の端部を折り曲げ部で挟み込んでヒュージングするものが知られている（例えば、特許文献２参照）。
【０００３】
【特許文献１】特開２００４−３４２４７４号公報
【特許文献２】特開２００２−２９９１１８号公報
【発明の開示】
【発明が解決しようとする課題】
【０００４】
ところで、特許文献１に開示の端子構造においては、２本の導線が係止溝に嵌め込まれて、両側から押し当てた電極によりヒュージングするものであるため、係止溝の溝幅が導線の径寸法に形成されていれば、２本の導線は１本ずつ並んで嵌め込まれて重なり合うことはない。
【０００５】
一方、上記特許文献２に開示の端子構造において、２本の導線を同時に巻き付けるバイファイラ巻きを施すと、Ｕ字状の折り曲げ部により挟み込まれる際に、２本の導線が重なり合って潰される虞がある。この場合、重なった状態で潰された部分は、ヒュージングのために許容される潰し量を超えて潰されることになり、その結果、強度が低下して断線する虞がある。
【０００６】
本発明は、上記従来技術の事情に鑑みて成されたものであり、その目的とするところは、複数（２本）の導線を端子に同時に巻き付けた後に潰してヒュージングする（いわゆる「絡げ」を行う）際に、ヒュージング部（絡げ部）における導線の重なりを防止して、導線の潰し過ぎにより断線等が生じるのを防止できる端子構造を提供することにある。
【課題を解決するための手段】
【０００７】
本発明の端子構造は、端子に複数の導線を巻き付ける端子構造であって、上記端子は、複数の導線を挟み込むべくその縁から延出した折り曲げ部と、複数の導線を折り曲げ部に導くべく形成されたガイド部を含み、ガイド部は、複数の導線をお互いに重ならないようにそれぞれ異なる経路にて折り曲げ部に導くべく、折り曲げ部の両側において折り曲げ部が延出する側縁から後退した側縁により画定される段差部を含む、構成となっている。
この構成によれば、ガイド部として端子の側縁に設けた段差部を採用したことにより、ガイド部を簡単な構造でかつ容易に形成できると共に、バイファイラ巻きにおけるヒュージング、すなわち、複数の導線を折り曲げ部で挟み込む場合（あるいは、挟み込んで潰しヒュージングする際に）、それぞれの導線が段差部により異なる経路で折り曲げ部に導かれるため、それぞれの導線が重なり合って潰されることなく挟み込まれる（あるいは、それぞれの導線が重なり合うことなく許容される範囲で潰されてヒュージングされる）。したがって、挟み込まれた後（あるいは、さらにヒュージングされた後）の導線は、強度が十分確保されて断線等を防止できる。
【０００９】
上記構成において、ガイド部は、複数の導線の一つの導線が段差部を越えて他の導線の経路に入り込むのを規制するべく、その縁から突出する突出部を含む、構成を採用することができる。
この構成によれば、複数の導線を端子に巻き付けてヒュージングする際に、突出部が、一つの導線が段差を乗り越えて他の導線の経路に入り込むのを規制するため、導線同士が重なるのを確実に防止できる。
【００１０】
上記構成において、折り曲げ部、段差部、及び突出部の付け根領域は、滑らかに湾曲するように形成されている、構成を採用することができる。
この構成によれば、導線が屈曲しつつ通過する領域が、滑らかに湾曲して形成されているため、ヒュージングの際に導線に応力が加わって断線等を生じるのを防止できる。
【発明の効果】
【００１１】
上記構成の端子構造によれば、複数の導線を端子に同時に巻き付ける際に（あるいは、さらに潰してヒュージングする際に）、折り曲げ部（すなわち、絡げ部あるいはヒュージング部）における導線の重なりを防止して、導線の潰し過ぎにより断線等が生じるのを防止できる。
【発明を実施するための最良の形態】
【００１２】
以下、本発明の最良の実施形態について、添付図面を参照しつつ説明する。
図１ないし図６は、本発明に係る端子構造の一実施形態を示すものであり、図１ないし図４は、この端子構造を備えたボビンユニットを示す側断面図、端面図、及び部分拡大図、図５は端子を示す平面図、図６は端子に２本の導線を巻き付けてヒュージングする工程を示す平面図及び断面図である。
【００１３】
このボビンユニットは、図１ないし図３に示すように、樹脂材料により形成された環状のボビン１０、ボビン１０の環状溝１１に巻回された複数の導線としての２本のコイル線２０，２１、コイル線２０，２１を巻き付けてヒュージングする端子３０、コイル線２０を巻き付けてヒュージングする端子３０´、コイル線２１を巻き付けてヒュージングする端子３０´´等を備えている。
【００１４】
ボビン１０は、図１ないし図３に示すように、コイル線２０，２１を巻回する環状溝１１、環状溝１１の内側に画定された円形の貫通孔１２、３つの端子３０，３０´，３０´´を保持する端子保持部１３等を備えている。
コイル線２０，２１は、巻き始めの端部領域にあるコイル線２０ａ，２１ａと巻き終わりの端部領域にあるコイル線２０ｂ，２１ｂを有し、それぞれ絶縁用の被膜により覆われている。そして、ヒュージングにより、すなわち、コイル線２０，２１を局部的に通電加熱して被膜を剥離させて素線部分を露出させた後、潰しにより端子３０，３０´，３０´´と接触させることで、あるいは、コイル線２０，２１それぞれ所定量だけ潰すことにより素線部分を露出させて端子３０，３０´，３０´´と接触させることで、電気的に導通するようになっている。
【００１５】
端子３０，３０´，３０´´は、同一の形状をなすものであり、図５及び図６に示すように、側縁３０ａから延出する折り曲げ部３１、折り曲げ部３１の両側において側縁３０ａより後退した側縁３０ｂを画定するガイド部としての段差部３２、段差部３２の領域から突出して形成されたガイド部としての突出部３３、外部のコネクタに接続される接続ピン３４等を備えている。
【００１６】
折り曲げ部３１は、図６（ａ），（ｂ）に示すように、Ｕ字状に折り曲げられるように形成されており、巻き付けられた２本のコイル線２０（２０ａ），２１（２１ｂ）を挟み込んで潰すことによりヒュージングするものである。
段差部３２は、図６（ｂ）に示すように、巻き付けられた２本のコイル線２０（２０ａ），２１（２１ｂ）をそれぞれ異なる経路にて平行に折り曲げ部３１に導くように形成されており、コイル線２０，２１の一方を側縁３０ａに沿って巻き付け、コイル線２０，２１の他方を側縁３０ｂに沿って巻き付けることにより、図６（ａ）に示すように、折り曲げ部３１において、２本のコイル線２０，２１が重なり合うのを防止する。
ここでは、２本のコイル線２０，２１を異なる経路に導くガイド部として、段差部３２を採用しているため、構造が簡単であり、又、容易に形成することができる。
【００１７】
突出部３３は、図５及び図６（ｂ）に示すように、段差部３２を延長するように突出して形成されており、２本のコイル線２０，２１のうち、一方のコイル線が段差部３２を越えて他方のコイル線の経路に入り込むのを規制するものである。
すなわち、突出部３３を設けることにより、２本のコイル線２０，２１を巻き付けてヒュージングする際に、一方の導線が段差３２を乗り越えて他方の導線の経路に入り込むのを規制するため、コイル線２０，２１同士が重なるのを確実に防止でき、その結果、ヒュージングの際の過剰な潰れを防止できる。
【００１８】
また、端子３０，３０´，３０´´においては、図５に示すように、少なくともコイル線２０，２１の通路となる折り曲げ部３１の付け根領域Ｒ、段差部３２の付け根領域Ｒ、突出部３３の付け根領域Ｒが、滑らかに湾曲するように形成されている。
このように、コイル線２０，２１が屈曲しつつ通過する付け根領域Ｒを湾曲させて形成することにより、ヒュージングの際にコイル線２０，２１に過剰な応力が加わって断線等が生じるのを防止できる。
また、端子３０，３０´，３０´´においては、その断面において四隅部が面取り（Ｃ面）あるいは湾曲（Ｒ面）して形成されている。したがって、同様に応力が加わって断線等が生じるのを防止できる。
【００１９】
次に、ボビンユニットにおけるヒュージングについて説明する。
先ず、ボビン１０の端子保持部１３に対して３つの端子３０，３０´，３０´´がモールド成型された状態において、コイル線２０，２１をボビン１０に巻回し始める。ここで、図４に示すように、コイル線２０の巻き始めの端部領域にあるコイル線２０ａを端子３０に巻き付け、コイル線２１の巻き始めの端部領域にあるコイル線２１ａを端子３０´´に巻き付ける。
【００２０】
そして、コイル線２０，２１をボビン１０の環状溝１１に複数回に亘って巻回し、図４に示すように、コイル線２０の巻き終わりの端部領域にあるコイル線２０ｂを端子３０´に巻き付け、コイル線２１の巻き終わりの端部領域にあるコイル線２１ｂを端子３０に巻き付ける。
そして、端子３０の折り曲げ部３１において、コイル線２０ａ，２１ｂを挟み込むように折り曲げ部３１をＵ字状に屈曲させると同時にコイル線２０ａ，２１ｂを潰してヒュージングする。
また、端子３０´の折り曲げ部３１において、コイル線２０ｂを挟み込むように折り曲げ部３１をＵ字状に屈曲させると同時にコイル線２０ｂを潰してヒュージングする。
さらに、端子３０´´の折り曲げ部３１において、コイル線２１ａを挟み込むように折り曲げ部３１をＵ字状に屈曲させると同時にコイル線２１ａを潰してヒュージングする。
【００２１】
すなわち、端子３０´，３０´´においては、１本のコイル線２０ｂ，２１ａをヒュージングし、端子３０においては、２本のコイル線２０ａ，２１ｂをすなわちバイファイラ巻きにおいてヒュージングする。
その後、余剰のコイル線２０，２１は、自動巻線機の余長カット機構により切断される。
【００２２】
このバイファイラ巻きにおけるヒュージングに際して、それぞれのコイル線２０，２１は、段差部３２により異なる経路で平行に折り曲げ部１３に導かれるため、この２本のコイル線２０，２１が重なり合うことはなく、それぞれ許容される範囲で潰されてヒュージングされる。したがって、ヒュージングされた後のコイル線２０，２１は、強度が十分確保されて断線等を防止できる。
また、突出部３３により、一方のコイル線が段差３２を乗り越えて他方のコイル線の経路に入り込むのが規制されて、コイル線２０，２１同士の重なりを確実に防止できる。
【００２３】
このボビンユニットにおいては、本発明の端子構造を採用したが故に、コイル線２０の巻き始めの端部領域にあるコイル線２０ａとコイル線２１の巻き終わりの端部領域にあるコイル線２１ｂとを、過剰な潰れを防止して１つの端子３０により確実にヒュージングすることができるため、別々の端子にヒュージングする場合に比べて、端子の個数を削減でき、構造の簡素化、低コスト化等を達成できる。
【００２４】
上記実施形態においては、端子の共用化を図るため、バイファイラ巻きをしない端子３０´，３０´´においても、本発明に係る端子構造を採用したが、段差部３２，突出部３３等が無い従来の端子構造を採用してもよい。
上記実施形態においては、２本のコイル線２０，２１をそれぞれ異なる経路にて折り曲げ部３１に導くガイド部として、段差３２を採用した場合を示したが、これに限定されるものではなく、凸形状、凹形状、その他の形状あるいは構造をなすガイド部を採用することができる。
【産業上の利用可能性】
【００２５】
以上述べたように、本発明の端子構造は、２本の導線（コイル線）を端子に同時に巻き付けた後に潰してヒュージングする際に、ヒュージング部（絡げ部）における導線の重なりを防止して、導線の潰し過ぎにより断線等が生じるのを防止できるため、電磁アクチュエータ等のコイルを巻回したボビンユニットの端子構造として適用できるのは勿論のこと、バイファイラ巻きにおいてヒュージングするものであれば、コイル線以外の導線をヒュージングするその他の電子機器等の端子構造としても有用である。
【図面の簡単な説明】
【００２６】
【図１】本発明に係る端子構造の一実施形態を備えたボビンユニットを示す側断面図である。
【図２】図１に示すボビンユニットを右側から見た端面図である。
【図３】図１に示すボビンユニットを左側から見た端面図である。
【図４】図３に示すボビンユニットの端子部分を拡大した部分拡大図である。
【図５】図１に示すボビンユニットに組み込まれた端子の平面図である。
【図６】図１に示すボビンユニットに組み込まれた端子及び巻き付けられたコイル線を示すものであり、（ａ）はその一部を示す部分平面図、（ｂ）は（ａ）中のＥ１−Ｅ１における断面図である。
【符号の説明】
【００２７】
１０  ボビン
１１  環状溝
１２  貫通孔
１３  端子保持部
２０，２１  コイル線（導線）
２０ａ，２１ａ  巻き始めの端部領域にあるコイル線
２０ｂ，２１ｂ  巻き終わりの端部領域にあるコイル線
３０，３０´，３０´´  端子
３０ａ，３０ｂ  側縁
３１  折り曲げ部
３２  段差部
３３  突出部
３４  接続ピン
【図１】
0004790345.tif 000002
【図２】
0004790345.tif 000003
【図３】
0004790345.tif 000004
【図４】
0004790345.tif 000005
【図５】
0004790345.tif 000006
【図６】
0004790345.tif 000007